(57)【特許請求の範囲】
【請求項１】
スチーム発生手段を有する基台部と、それに回転自在に取り付けられている押さえ部を有し、基台部にスチーム発生手段で発生したスチームを押さえ部側に噴出するスチーム孔を設け、押さえ部に上記スチームによる結露を防止する為のスチーム逃し孔を設け、押さえ部の外周方向に１つもしくは複数の板状の突起部を有することを特徴とするヘアーカール器。
【請求項２】
基台部の外周方向に１つもしくは複数の板状の突起部を有することを特徴とする請求項１記載のヘアーカール器。
【請求項３】
押さえ部と基台部との各々の突起部が同一平面状に配されていることを特徴とする請求項２記載のヘアーカール器。
【請求項４】
押さえ部もしくは基台部またはその両方に配される突起部の一部もしくは複数部または全部がブリスル形状であることを特徴とする請求項１または請求項２または請求項３記載のヘアーカール器。
【発明の詳細な説明】
【０００１】
【発明の属する技術分野】
本発明は、毛髪のセット等に用いられるヘアーカール器に関するものである。
【０００２】
【従来の技術】
従来、ヘアーカール器として、スチーム発生手段を備えた基台と、それに回転自在に取り付けられている押さえ部を有するものとして特開平３−２６７００７号公報に示されるようなものが提供されている。
このものは、毛髪を挟む面に対して基台側よりスチームが発生し、押さえ部で毛髪を押さえることにより毛髪へのくせ付けもしくはくせ取りが行えるようになっている。
【０００３】
【発明が解決しようとする課題】
しかし、上述のような従来例にあっては、くせ付けまたはくせ取りの動作を行おうとした時、一方の手がヘアーカール器の本体取っ手部を保持し、もう一方の手が押さえ部を持ち、毛髪のくせ付け（くせ取り）を行うことになるが、押さえ部にはスチームの結露防止用にスチーム逃がし孔が設けられている為、この孔より噴出したスチームにより、手の火傷等が起こる危険性が高いという問題があった。
【０００４】
また、基台部も高温になる為にこれが使用中に顔面等に触れて火傷等が起こる危険性が高いという問題があった。また、このものにおいては形状による制約により、毛髪の挟み込みによるくせ付け（くせ取り）のみしか使用できないという欠点があった。
本発明は上記問題点の解決を目的とするものであり、不意の使用時においてもスチームの漏れ等による火傷等の危険性を回避し、毛髪を挟み込む以外の使用も可能なヘアーカール器を提供しようとするものである。
【０００５】
【課題を解決するための手段】
上記目的を達成するために、請求項１の発明では、スチーム発生手段を有する基台部と、それに回転自在に取り付けられている押さえ部を有し、基台部にスチーム発生手段で発生したスチームを押さえ部側に噴出するスチーム孔を設け、押さえ部に上記スチームによる結露を防止する為のスチーム逃し孔を設け、押さえ部の外周方向に１つもしくは複数の板状の突起部を有することを特徴とするものであり、押さえ部の外周方向に設けられた突起部により、スチーム逃がし孔からの距離が取れる為、人体（手等）にスチームが接触しない、または接触しても勢いの弱いスチームである為に火傷までは至らない。
【０００６】
請求項２の発明では、請求項１において基台部の外周方向に１つもしくは複数の板状の突起部を有することを特徴とするものであり、基台部に設けられた突起部により加熱されている基台部が直接肌に触れない為に火傷を防ぐことができる。
請求項３の発明では、請求項２において押さえ部と基台部との各々の突起部が同一平面状に配されていることを特徴とするものであり、整髪効果を高めることができる。
【０００７】
請求項４の発明では、請求項１または請求項２または請求項３において押さえ部もしくは基台部またはその両方に配される突起部の一部もしくは複数部または全部がブリスル形状であることを特徴とするものであり、突起部がブリスル形状となることにより基台部と押さえ部が閉じた状態でも通常のブラッシングをすることができる。
【００１０】
【発明の実施の形態】
以下、本発明を図示の実施形態に基づいて詳述すると、図示のヘアーカール器は、温風乃至冷風を送るための送風装置が設けられていると共に、電源コード９０が引き出されている本体Ａと、このグリップを兼ねることになる本体Ａの先端部に着脱自在に連結されるアタッチメントＢとからなるものとして形成されている。
【００１１】
本体Ａは図２に示されるように、円筒状ハウジング５０の電源コード９０の引き出し側である後部内に、モータＭ及びこれで駆動されるファンＦからなる送風装置を収容すると共に、ハウジング５０の前部内に送風ヒータブロックＨを配したもので、ハウジング５０の先端面には網体が取り付けられた送風口５２が開口すると共に接続ジャック５４が配設されている。上記送風装置は、本体Ａの後端部に形成された吸入口５３から取り入れた空気を送風口５２から吐出する。送風ヒータブロックＨに通電されている時には送風口５２から温風を吐出する。
【００１２】
アタッチメントＢは、本体Ａの上記先端部に着脱自在に連結される基台１０と、基台１０によって一端が支持される円筒状のパイプ１１、パイプ１１内に配された加熱手段３、パイプ１１外周に着脱自在に被せられる櫛部材６、パイプ１１先端に着脱自在に取り付けられる液体供給手段４とからなるものとして形成されている。
【００１３】
基台１０は図４（ａ）に示されるように本体Ａの先端部に被せられて本体Ａ側のフック５９で本体Ａに連結される大径部と、パイプ１１が連結される小径部とを備えて、大径部と小径部との間が本体Ａの送風口５２から吐出される風の通路となっているもので、櫛部材６を係止するためのフック１２を備えると共に、前記接続ジャック５４に差し込み接続されるプラグ１３を備えている。
【００１４】
加熱手段３は図３に示されるように上記円筒状のパイプ１１内に配設されて、液体供給手段４から供給される液体（水）を加熱してスチーム化するもので、熱良導体からなるヒータパイプ３０内にヒータ３３を配したものとして形成されている。ここにおけるヒータパイプ３０は、先端部がくさび状に、後端部が円筒状に形成された中空のもので、ヒータパイプ３０におけるくさび部内に収納されたヒータ３３は、両面が開口している保持枠３４と、正特性サーミスタからなる発熱部材３５と、発熱部材３５の両面に夫々接する一対の電極板と、一対のアルミナのような熱良導体からなるくさび型絶縁板３７，３７とからなるもので、保持枠３４内に収めた発熱部材３５を両電極板と両絶縁板３７，３７とによってはさんだ状態でヒータパイプ３０内に押し込まれている。
【００１５】
ここで、パイプ１１と基台１０とはパイプ１１の内面に凹設された切欠３６を基台１０の突起１８に係合させると共に、ビス１９で固定することによって相互に連結されている。
前記加熱手段３に液体を供給する液体供給手段４は図４（ｂ）に示されるようにタンク４１と、このタンク４１における開口部に着脱自在とされた円筒状の保持部材４２、そし
て保持部材４２によって保持された吸水体４４とから構成されたもので、タンク４１には内圧調整用の弁４３が設けられており、パイプ１１の先端開口内に保持部材４２を差し込んだ時、一端をタンク４１内に位置させている吸水体４４の他端が加熱手段３におけるヒータパイプ３０のくさび型部分の外面に接触するものであり、これによってタンク４１内の液体がヒータパイプ３０の外面に導かれる。
【００１６】
さて、本体ＡにアタッチメントＢを連結した状態で本体Ａ内の送風装置を作動させたならば、風はアタッチメントＢにおける基台１０の大径部と小径部との間の開口部を通じて吐出される。水が充填された液体供給手段４を取り付けた状態で加熱手段３に通電すれば、タンク４１から吸い出した水を保持している吸水体４４がヒータパイプ３０外面に接触していることから、この接触部において水分は加熱されてスチームとなり、アタッチメントＢにおけるパイプ１１のスチーム孔１４と、櫛部材６におけるスチーム孔６３とを通じて外部に噴出する。
【００１７】
ヒータパイプ３０に接触する吸水体４４の端部外面を保持している保持部材４２は、吸水体４４の外面を外部に露出させることになる切り欠き４５，４５を備えており、吸水体４４に含まれた水分が加熱されてスチームとなる時に、切り欠き４５を通じてスチームが出ていくために、保持部材４２がスチーム発生の邪魔になることもない。
【００１８】
ここにおいて、櫛部材６は図１及び図５乃至図７に示されるように前記パイプ１１に挿着される基台部６１と、その基台部６１に設けられた回転軸６４を介して回転自在となる押さえ部６２とから構成される。
また、回転軸６４の内部には回転用バネ６７が挿入されており、このバネ６７の力により、常時は基台部６１と押さえ部６２とが閉じた状態となっている。
【００１９】
また、基台部６１にはパイプ１１から発生するスチームが押さえ部６２側に噴出する為のスチーム孔６３が設けられている。押さえ部６２にもスチームによる結露を防止する為に、スチーム逃がし孔６５が設けられている。
毛髪を挟む場合には、押さえ部６２に設けられた開口用押さえ６６を図６中矢印ａ方向に押すことにより基台部６１と押さえ部６２との間に毛髪挟み部６８が現れ、ここに毛髪を挟み込んで開口用押さえ６６に加わる力を無くすことでバネ６７の力により毛髪が基台部６１と押さえ部６２に挟まれ、この状態でスチームまたは温風を発生させ、髪すき方向に櫛部材６を動かすことにより毛髪のくせ付けもしくはくせ取りを行うことが可能である。
【００２０】
ここで、図１及び図５乃至図８に示されるように押さえ部６２の外周方向には板状の突起部７１が複数並設配置されている。これにより、スチーム発生時に毛髪のくせ付け、くせ取りを行っている時に、結露防止用のスチーム逃がし孔６５から発生するスチームが使用者の手や顔等まで届かない状態となり、火傷等を起こす可能性が無くなる。
【００２１】
また、図９に示されるように基台部６１にも板状の突起部７２を設けることにより、スチーム発生部または温風で熱せられた基台部６１に直接手や顔等が触れることを防ぐことが可能である。
また、この板状の突起部７１，７２により、毛髪を挟んだ状態で櫛部材６を回転させることにより、毛髪は櫛部材６の外周に巻き付き、これによりカール状のくせ付けを行うことが可能であるが、この時に板状の突起部７１，７２により毛髪が整髪され、整ったカール付けを行うことが可能となる。
【００２２】
これは、図５に示されるように突起部７１，７２とが同一平面状に配されることで整髪効果をより高めることが可能となるためである。
また、図１０に示されるように、突起部７１をブリスル状とすることにより、このブリスル状の突起部７１により毛髪をとかすことも可能であり、他の櫛部材に取り替えることなくブリスル状の突起部７１により櫛とかし、また、毛髪を挟んでくせ付け、またはくせ取りを行うことが可能である。
【００２３】
また、図１１に示されるように、基台部６１の周囲に本体Ａの送風口５２を介して送られてくる温風または冷風が通る通風路７３を設け、さらに、通風路７３の毛髪挟み部６８側に開口部７４を設けることにより、毛髪のくせ付けまたはくせ取りを行う際にスチーム孔６３からスチームを毛髪に加え、次に開口部７４より温風または冷風を続けて毛髪に加えることができ、よりしっかりしたくせ付け、くせ取りを行うことが可能である。
【００２４】
また、図１２に示されるように開口部７４を毛髪挟み部６８以外の外周方向にも設けることにより、前述の櫛部材６への毛髪巻き付けによるくせ付けにおいて、巻き付けた内側からも温風または冷風を続けて毛髪に加えることが可能であり、よりしっかりしたくせ付けを行うことが可能である。
また、図１３に示されるように突起部７１，７２をそれぞれ押さえ部６２、基台部６１に設けることにより、前述のくせ付けにおける整髪効果をさらに高めることが可能である。
【００２５】
【発明の効果】
本発明は、スチーム発生手段を有する基台部と、それに回転自在に取り付けられている押さえ部を有し、基台部にスチーム発生手段で発生したスチームを押さえ部側に噴出するスチーム孔を設け、押さえ部に上記スチームによる結露を防止する為のスチーム逃し孔を設け、押さえ部の外周方向に１つもしくは複数の板状の突起部を有するので、押さえ部の外周方向に設けられた突起部により、スチームが逃がされる押さえ部のスチーム逃がし孔から手が触れる箇所までの距離を長く取ることができ、スチーム逃がし孔からのスチームが直接使用者の肌に触れることがなく、火傷等の心配なく使用することが可能となるものであり、また、板状の突起部のみで髪をとかしたりすることもでき、不意の使用時においてもスチームの漏れによる火傷等の危険性を回避し、毛髪を挟み込む以外の使用も可能なヘアーカール器を提供することができるものである。
【００２６】
また、カール付け（くせ付け）のセットを行う場合、基台部と押さえ部で毛髪を挟み込んで巻き付ける際に、押さえ部の突起部により整髪され、カールの仕上がりを整えることが可能となるものである。
さらに、基台部にも突起部を設けることにより、スチーム発生、または温風により熱せられた基台部に直接肌が触れることを防ぐことができ、また、上記と同様にカール付けを行う際に押さえ部と基台部両方に突起部があることにより整髪効果を高めることができるものである。
【００２７】
さらに、各々の突起部を同一平面上に配置することによりカール付けやくせ取りを行う場合の整髪効果をより高めることが可能となるものである。
【図面の簡単な説明】
【図１】本発明の一例を示すアタッチメントの一部破断した正面図である。
【図２】本体の断面図である。
【図３】加熱手段の一部破断した正面図である。
【図４】（ａ）は基台とパイプを示す分解斜視図、（ｂ）は吸水手段の分解斜視図である。
【図５】櫛部材の一例を示すものであり、（ａ）は正面図、（ｂ）は（ａ）の平面図、（ｃ）は（ａ）の側面図である。
【図６】同上の櫛部材の作用を説明する説明図である。
【図７】櫛部材の他例を示す断面図である。
【図８】櫛部材の他例を示すものであり、（ａ）は正面図、（ｂ）は（ａ）の側面図である。
【図９】櫛部材の他例を示すものであり、（ａ）は正面図、（ｂ）は（ａ）の側面図である。
【図１０】櫛部材の他例を示すものであり、（ａ）は正面図、（ｂ）は（ａ）は側面図である。
【図１１】櫛部材の他例を示す断面図である。
【図１２】櫛部材の他例を示す断面図である。
【図１３】櫛部材の他例を示す断面図である。
【符号の説明】
６１  基台部
６２  押さえ部
７１  突起部
７２  突起部
７３  温風通風路
７４  温風開口部
【図１】
0003608282.tif 000002
【図２】
0003608282.tif 000003
【図３】
0003608282.tif 000004
【図４】
0003608282.tif 000005
【図５】
0003608282.tif 000006
【図６】
0003608282.tif 000007
【図７】
0003608282.tif 000008
【図８】
0003608282.tif 000009
【図９】
0003608282.tif 000010
【図１０】
0003608282.tif 000011
【図１１】
0003608282.tif 000012
【図１２】
0003608282.tif 000013
【図１３】
0003608282.tif 000014